(57)【要約】【課題】  機器を頭部保護具の期待する位置に配置することが可能な取付具を提供する。【解決手段】  この取付具は、頭部保護具に機器を取り付けるための取付具であり、頭部保護具の縁部を挟み込むようにして該縁部に装着する挟装部４１と、挟装部４１から頭部保護具を装着する人の顔面に、かつ頭部保護具の下方に向けて延びる腕部４２と、下方に向けて延びた腕部４２の顔面に向いた面の裏面に設けられ、機器１０を連結するための連結部４３とを含む。【選択図】  図４
2019123951.tif 000002
【特許請求の範囲】
【請求項１】
頭部保護具に機器を取り付けるための取付具であって、
前記頭部保護具の縁部を挟み込むようにして該縁部に装着する挟装部と、
前記挟装部から前記頭部保護具を装着する人の顔面に、かつ該頭部保護具の下方に向けて延びる腕部と、
下方に向けて延びた前記腕部の前記顔面に向いた面の裏面に設けられ、前記機器を連結するための連結部とを含む、取付具。
【請求項２】
前記挟装部は、前記頭部保護具の内側に配置される第１の平板部と、前記頭部保護具の外側に配置される第２の平板部と、前記第２の平板部に移動可能に設けられ、前記頭部保護具の外側の面を押圧する押圧手段とを含む、請求項１に記載の取付具。
【請求項３】
前記第１の平板部の前記第２の平板部に向いた面に緩衝材が設けられる、請求項２に記載の取付具。
【請求項４】
前記腕部は、前記挟装部に連続し、前記頭部保護具の下方の前記顔面に向けて斜めに延びる傾斜部と、前記傾斜部に連続し、顔のラインに沿って下方に延びる垂下部とを含む、請求項１〜３のいずれか１項に記載の取付具。
【請求項５】
前記腕部が、外部からの一定の力を受けて変形し、もしくは切断される材料により形成される、請求項１〜４のいずれか１項に記載の取付具。
【請求項６】
前記腕部の前記顔面に向いた面に緩衝材が設けられる、請求項１〜５のいずれか１項に記載の取付具。
【発明の詳細な説明】
【技術分野】
【０００１】
本発明は、頭部保護具（ヘルメット）に機器（デバイス）を取り付けるための取付具に関する。
【背景技術】
【０００２】
建設現場等では、作業員が遠隔地にいる管理者に対して作業内容や作業手順を確認し、管理者が作業員をガイドするために、作業員の身体に装着可能で、通信機能、撮像機能、表示機能を有するウェアラブルデバイスが使用されている。ウェアラブルデバイスとしては、それ自体がゴーグル形状の、またはゴーグルを台座として身体に装着する構造のデバイスが知られている（例えば、特許文献１〜３参照）。
【０００３】
しかしながら、上記のデバイスは、建設現場等で使用しようとすると、ヘルメットとの同時装着が必要となるが、同時装着を考慮した設計でないため、装着時に相互干渉し、嵩張りや重量感で不快に感じることが多い。
【０００４】
ところで、ヘルメットは、頭部に着脱容易で、頭部に顎紐で比較的安定して固定できる。そのため、建設現場等では、照明器具、ヘッドセット、温湿度や騒音の測定や加速度による事故検知等を把握するIoT(Internet of Things)センサユニット等をヘルメットに取り付けて使用している（例えば、特許文献４、５参照）。
【先行技術文献】
【特許文献】
【０００５】
【特許文献１】特表２０１７−５３２８２５号公報
【特許文献２】特開２０１７−２１２２７号公報
【特許文献３】特開２０１７−１１６７７２号公報
【特許文献４】特開２０１５−１２５９８６号公報
【特許文献５】特許第５３９０５６９号公報
【発明の概要】
【発明が解決しようとする課題】
【０００６】
上記のデバイスは、目で見る範囲を撮像し、表示される情報を目で見るために、目元に配置される必要があり、その位置は、ヘルメットの下側であって、ヘルメットの外周囲より内側に配置されなければならない。しかしながら、従来の上記の照明器具等をヘルメットに取り付けるための取付具は、ヘルメットの外皮面に取り付けるための取付具であるため、期待する位置に配置することができないという問題があった。
【課題を解決するための手段】
【０００７】
本発明は、上記課題に鑑みてなされたものであり、頭部保護具に機器を取り付けるための取付具であって、頭部保護具の縁部を挟み込むようにして該縁部に装着する挟装部と、挟装部から頭部保護具を装着する人の顔面に、かつ頭部保護具の下方に向けて延びる腕部と、下方に向けて延びた腕部の顔面に向いた面の裏面に設けられ、機器を連結するための連結部とを含む、取付具が提供される。
【発明の効果】
【０００８】
本発明によれば、機器を頭部保護具の期待する位置に配置することが可能となる。
【図面の簡単な説明】
【０００９】
【図１】機器の利用態様を説明する図。
【図２】ヘルメットに機器を取り付けたところを示した正面図。
【図３】ヘルメットに機器を取り付けたところを示した側面図。
【図４】取付具の第１の例を示した図。
【図５】取付具の第２の例を示した図。
【図６】取付具の第３の例を示した図。
【図７】取付具の第４の例を示した図。
【発明を実施するための形態】
【００１０】
本発明の取付具について説明する前に、取付具によってヘルメットに取り付けられる機器がどのようなもので、どのように利用されるかについて簡単に説明しておく。図１は、ヘルメットに取り付ける機器の利用態様を説明する図である。機器１０としては、人の頭部装着を意識した設計とされるヘッドセット（マイク、イヤフォン）を基本とし、カメラ、ディスプレイ、通信機能等から必要な要素を選択して追加搭載した、いわゆるウェアラブルデバイス等を用いることができる。図１に示す例では、機器１０を、マイク、イヤフォン、カメラ、ディスプレイ、通信機器を備えたウェアラブルデバイスとしている。
【００１１】
機器１０は、本体部１１と、本体部１１から前方（ヘルメットを装着した人の顔が向く方向）に延びる曲げ伸ばし自在のアーム部１２と、アーム部１２の先端の前方側に設けられる撮像部１３と、アーム部１２の先端の後方側（撮像部１３が設けられる側の裏側）に設けられる表示部１４とを備える。
【００１２】
本体部１１は、後述する取付具と連結するための連結部としてのコネクタや、電源のON/OFFや表示画面の切り替え等を行うための操作ボタンや、ヘッドセット１５を接続するための接続部（コネクタの差込口）等を備える。本体部１１は、プロセッサ、メモリ、通信I/F（送受信機）を備え、ファームウェアを実行してフロントエンドの処理を行うことができる。ウェアラブルデバイスを装着した人と外部との情報交換は、上記の通信機能を用いて行うものとし、例えば無線LANのプロトコルを用いて、WANルータの中継を経て、遠隔のPC２０との間でデータ交換を行うことができる。アーム部１２は、例えば蛇腹構造を有する金属製のフレキシブルアーム等とされ、内部にコードが収納され、撮像方向や表示画面の位置を変えるために使用される。
【００１３】
撮像部１３は、カメラにより構成され、前方にある撮像対象を撮像し、画像データとしてアーム部１２内部のコードを介して本体部１１に入力する。本体部１１では、取得した画像データに対し、適宜ノイズの除去等の画像処理を行い、通信I/Fを介してPC２０に送信する。
【００１４】
ヘッドセット１５は、音声入力部としてのマイクロフォンと、音声出力部としてのヘッドフォンとが一体となったデバイスで、ヘルメットを装着した作業員が発した音声の入力を受け付け、音声データとして本体部１１に入力する。本体部１１では、画像データと同様、適宜ノイズの除去等の音声処理を行い、通信I/Fを介して外部と情報交換する。
【００１５】
PC２０は、作業員に対して作業内容、作業手順、対処方法等を指示する管理者により使用される。管理者は、PC２０を使用して、作業員から送られてきた画像や音声を基に、次に行うべき作業内容等を示す表示画面の画面データや、対処方法等を指示する音声の音声データ等を機器１０に送信する。
【００１６】
機器１０は、本体部１１の通信I/Fにより管理者からの画面データおよび音声データを受信し、受信した画面データおよび音声データに対して、上記と同様の画像処理や音声処理を行い、アーム部１２内部のコードを介して表示部１４に画面データを表示させ、ヘッドセット１５のイヤフォンにより音声データを出力させる。
【００１７】
作業員と管理者は、機器１０およびPC２０を使用し、上記の処理を繰り返すことで、互いに遠く離れた場所にいても、コミュニケーションを図りながら適切に作業を進めることができる。
【００１８】
本体部１１が備えるメモリには、外部からダウンロードした作業手順等を示したマニュアルの画面データや音声データをバッファで記憶することができ、表示部１４は、PC２０から送信された画面データ等を表示し、ヘッドセット１５のイヤフォンは、同様に送信された音声データ等を出力する。このため、作業員は、遠隔支援を受けつつも独自のペースで作業を進めることができる。
【００１９】
次に、取付具について説明する。機器１０は、図２および図３に示すように、ヘルメット３０に、取付具４０を使用して取り付けることができる。図２は、取付具４０を使用して機器１０をヘルメット３０に取り付けたときの前方から見た図で、図３は、側方から見た図である。
【００２０】
取付具４０は、ヘルメット３０の鍔３１（裾の反り返り部）に取り外し可能な、例えばクランプ式のものとされ、ヘルメット３０の内側に、かつヘルメット３０の下方に向けて延び、その下端において機器１０を連結する。
【００２１】
鍔３１は、ヘルメット３０の衝撃強度を負担し、雨水の水切りを行うために設けられ、その形状や大きさは、多様である。しかしながら、図２および図３に示すクランプ式の取付具４０を用いることで、鍔３１の多様な形状や大きさ、さらには多様なヘルメット３０の形状、例えば鍔３１のないヘルメットにも対応可能で、ヘルメット３０の鍔３１を含む縁部を挟み込むようにして装着することができる。
【００２２】
機器１０は、ヘルメット３０の外周囲より内側に、かつ下方に向けて延びる取付具４０の下端に連結される。このように連結されたとき、機器１０の表示部１４は、期待する位置として、ヘルメット３０を装着した作業員の目に見える範囲内に配置され、ヘッドセット１５のマイクロフォンは、作業員の口に近隣した位置に配置される。
【００２３】
なお、表示部１４の裏側に撮像部１３が設けられるので、撮像部１３は、作業員が実際に目で見る範囲の画像を撮像することができる。
【００２４】
取付具４０は、機器１０の前後方向に延びる本体部１１の側面を連結する。このため、ヘルメット３０を装着した作業員は、本体部１１から前方に延びるアーム部１２の先端に設けられた表示部１４が視界に入り、表示部１４に表示される画面を見ることができる。
【００２５】
また、作業員は、本体部１１の下面に設けられた差込口（ジャック）にヘッドセット１５のコネクタを挿入し、本体部１１に接続する。これにより、ヘッドセット１５の前方に向けて延びるアームの先端に設けられたマイクロフォンが、作業員の口に近隣して配置されるため、そのまま声を発するのみで、音声を入力することができる。また、作業員は、ヘッドセット１５のイヤフォンを自分の耳に取り付け、管理者の声等を聞くことができる。
【００２６】
図４を参照して、取付具４０の第１の構成例について説明する。図４は、取付具４０の第１の構成例を示した六面図である。取付具４０は、２枚の平板と、２つの調整ネジと、部材を連結するための３組のネジ（雄ネジ、雌ネジ）と、断面がＣ字形の受入側のコネクタとを用いて形成される。２枚の平板は、金属製あるいは樹脂製で、任意の位置で折り曲げられ、ネジやコネクタとともに使用されて、挟装部４１と、腕部４２とを構成し、コネクタは、連結部４３を構成する。
【００２７】
図４に示す例では、挟装部４１は、平行に離間して並ぶ２つの平板部４４、４５の一方（例えば、平板部４５）に、ネジ切りされたネジ溝が２つ設けられ、それら２つのネジ溝に押圧手段としての調整ネジ４６、４７が螺合する構成となっている。すなわち、ネジで物を締め付けて固定するクランプのような構成である。２枚の平板のうち、１枚は、階段状に折り曲げ、その一部により平板部４５を構成し、もう１枚は、Ｓ字状に折り曲げ、その一部により平板部４４を構成する。これら２枚の平板には、それぞれ２つのネジ穴が設けられ、２つのネジ４８、４９により連結される。ネジ４８、４９は、雄ネジのみであってもよいし、雄ネジと雌ネジの組み合わせ、さらにはワッシャーを含んで構成されていてもよい。
【００２８】
挟装部４１は、平板部４４をヘルメット３０の内側に、平板部４５をヘルメット３０の外側にそれぞれ配置し、調整ネジ４６、４７を回すことにより、調整ネジ４６、４７の円形の平坦な先端面をヘルメット３０の外側の面（外皮面）に向けて移動させる。そして、挟装部４１は、平板部４４をヘルメット３０の内側面に、また、調整ネジ４６、４７の先端面をヘルメット３０の外皮面に密着させ、その外皮面を押圧することにより、ヘルメット３０の縁部に装着する。調整ネジ４６、４７は、ヘルメット３０の外皮面に向けて移動させるときの回転方向とは逆の方向に回転させることで、外皮面から離間させることができる。
【００２９】
腕部４２は、平板部４４を構成する平板の残りの部分により構成され、挟装部４１の下端からヘルメット３０を装着する人の顔面、すなわちヘルメット３０の外周囲より内側に、かつヘルメット３０の下方に向けて延びる。図４に示す例では、腕部４２は、挟装部４１を構成する平板部４４に連続し、ヘルメット３０の内側に向け、平板部４４の平坦な面に対して斜め下方に延びる傾斜部４２ａと、傾斜部４２ａに連続し、顔のライン（頬のライン）に沿って下方に延びる垂下部４２ｂとを含む。
【００３０】
ヘルメット３０は、頭部を覆う帽体と、帽体の内側に設けられ、頭部の当たりを良くし、衝撃を緩和する着装体と、ヘルメット３０の脱落を帽子する顎紐とから構成される。このように、ヘルメット３０の内側には、着装体が設けられるため、ヘルメット３０を装着する作業員の顔面は、ヘルメット３０の外周囲より内側で、ヘルメット３０の下方にある。この傾斜部４２ａを設けることで、撮像部１３を作業員が実際に見ている範囲を撮像できる位置に、また、表示部１４を見やすい位置に、さらに、マイクロフォンを話しやすい位置に配置することが可能になる。
【００３１】
垂下部４２ｂには、作業員の顔面に向いた面の裏面に、機器１０を連結するための連結部４３が設けられる。連結部４３は、受入側のコネクタにより構成され、コネクタは、垂下部４２ｂを構成する平板とネジにより連結される。このため、コネクタは、ネジが螺合するネジ穴を備えている。この例では、コネクタをネジで取り付けているが、ネジに限られるものではなく、接着剤等で貼付してもよい。
【００３２】
連結部４３は、断面がＣ字形で、片側が機器１０に設けられた挿入側のコネクタを挿入するための開口５０を有し、反対側が挿入側のコネクタが通り抜けないように閉鎖される。このような構成により、連結部４３は、挿入側のコネクタをスライドさせて挿入し、連結することができる。また、連結部４３は、挿入側のコネクタの挿入に伴って湾曲し、挿入側のコネクタに設けられた穴に挿入される拡張された先端部を有する係止部５１を備える。このように、拡張された先端部が穴に挿入されることにより、挿入側のコネクタとの連結力を高めることができる。
【００３３】
ここでは、連結方法を、受入側のコネクタと挿入側のコネクタとを用いて連結するものとし、連結部４３を、受入側のコネクタにより構成したが、これに限られるものではなく、挿入側のコネクタにより構成してもよいし、その他の連結方法により連結してもよい。また、受入側のコネクタは、開口５０と、係止部５１とを備える構成に限られるものではなく、挿入側のコネクタを受け入れ、固定することができれば、いかなる構成であってもよい。
【００３４】
図４に示す例では、２つの平板のうち、平板部４４を構成する平板に設けられるネジが通る程度の円形のネジ穴を、幅はネジが通る程度とし、その幅に対して垂直方向である長さ方向に長いネジ穴５２とし、機器１０の上下方向の位置を変更可能な構成としている。
【００３５】
また、平板部４４の、対向する平板部４５に向いた面には、緩衝材５３を設けることができる。緩衝材５３は、上記面に貼付して設けることができ、ヘルメット３０の縁部の内側の形状に合わせて変形し、全体の面が密着して、強固に装着することを可能にする。なお、緩衝材５３は、必要に応じて設けることができ、必要がなければ設けなくてもよい。緩衝材５３としては、シリコーンゴム等のゴム、綿、布、柔軟性の高い樹脂材料、ポリウレタン等の合成樹脂を発泡成形して作られるスポンジ、衝撃吸収ゲル（シリコンをベースとしたゲル状物質）等を用いることができる。また、緩衝材５３は、平板部４４の、対向する平板部４５に向いた面の全面を覆うような大きさで、矩形のシート状のものとすることができる。緩衝材５３は、これに限られるものではなく、例えばその面より小さい、任意の形状のものを複数用いてもよい。
【００３６】
図５を参照して、取付具４０の第２の構成例について説明する。図５は、取付具４０の第２の構成例を示した六面図である。取付具４０は、２枚の平板と、２つの調整ネジと、部材を連結するための３組のネジ（雄ネジ、雌ネジ）と、断面がＣ字形の受入側のコネクタと、穴開け加工等された、その厚さが薄く、柔らかい平板状部材とを用いて形成される。
【００３７】
２枚の平板は、任意の位置で折り曲げられ、この例では、挟装部４１が備える２つの平板部４４、４５を構成する。また、２枚の平板は、平板状部材の一端を挟み、平板状部材を介在してネジ４８、４９により連結され、それらの一端は、顔面に向けて延びる腕部４２の一部を構成する。
【００３８】
平板状部材は、任意の位置で折り曲げられ、折り曲げられた一方が、顔面に近隣して下方に向けて延び、垂下部４２ｂを構成する。平板状部材は、外部からの一定の力を受けて変形し、もしくは切断される柔らかい材料により形成され、その材料としては、アルミニウム等の軽金属のほか、柔軟性の高い樹脂材料等を用いることができる。また、容易に変形し、もしくは切断を容易にするために、変形もしくは切断しやすい構造、例えば穴開け加工された構造を採用することができる。穴は、円形に限られるものではなく、楕円や菱形等、いかなる形であってもよい。
【００３９】
上記のアルミニウム等の軽金属のほか、柔軟性の高い樹脂材料は、異常な外力で柔軟に変形または分離できる機能を持たせることができ、これにより、顔面に接触したときに与える人体へのダメージが小さくなる。なお、このような材料を用いても、ヘルメット３０の頭部の保護機能が妨げられることはない。
【００４０】
連結部４３を構成する受入側のコネクタは、垂下部４２ｂに設けられた複数の穴の少なくとも１つにネジを通し、そのネジにより垂下部４２ｂに連結することができる。この場合も、受入側のコネクタは、接着剤等を用いて貼着することができる。
【００４１】
図５に示す例では、平板状部材に設けられた複数の穴のうちの、上記の折り曲げられた他方の２つの穴にネジ４８、４９を通し、２つの平板とともに連結するが、ネジ４８、４９を通す穴の位置を変え、折り曲げる位置を変えることで、垂下部４２ｂの下方への長さを変えることができる。
【００４２】
また、垂下部４２ｂは、折り曲げたい位置で折り曲げることができ、折り曲げる角度を自在に変えることができるため、ネジにより取り付けられた連結部４３に連結された機器１０と顔面との距離を調整することができる。
【００４３】
図５に示す例でも、平板部４４の、対向する平板部４５に向いた面に、緩衝材５３が設けられている。緩衝材５３は、必要に応じて設けることができ、必要がなければ設けなくてもよい。
【００４４】
図５では、平板状部材を２つに折り曲げ、一方がネジ４８、４９で固定されて水平部４２ｃを構成し、他方が垂下部４２ｂを構成しているが、これに限られるものではなく、３つに折り曲げ、１つを挟装部４１との固定に、もう１つを傾斜部４２ａとして構成し、残りの１つを垂下部４２ｂとして構成することも可能である。
【００４５】
機器１０を挟装部４１によりヘルメット３０に支持するだけでは、頭部の移動により、取り付けた機器１０が左右に振動する可能性がある。これに対し、傾斜部４２ａの長さや傾斜角を変え、垂下部４２ｂを顔面に隣接させることで、左右の一方への移動が抑止され、機器１０の振動を抑制することができる。この振動の抑制により、撮像時のブレや音声の音飛び等を防止することができる。
【００４６】
図６を参照して、取付具４０の第３の構成例について説明する。図６は、取付具４０の第３の構成例を示した六面図である。取付具４０は、２枚の平板と、２つの調整ネジと、部材を連結するための３組のネジ（雄ネジ、雌ネジ）と、断面がＣ字形の受入側のコネクタとを用いて形成される。
【００４７】
２枚の平板は、それぞれ任意の位置で折り曲げられ、挟装部４１が備える２つの平板部４４、４５を構成する。また、２枚の平板は、ネジ４８、４９により連結され、腕部４２の一部である水平部４２ｃを構成する。また、２枚の平板のうちの１枚は、顔のライン沿って下方に延びる垂下部４２ｂを構成する。したがって、図６に示す構成は、図４に示した構成とは、傾斜部４２ａに代えて、水平部４２ｃとなっている点で相違する。
【００４８】
連結部４３を構成する受入側のコネクタは、垂下部４２ｂに設けられた複数の穴の少なくとも１つにネジを通し、そのネジにより垂下部４２ｂに連結することができる。この場合も、受入側のコネクタは、接着剤等を用いて貼着することができる。
【００４９】
図６に示す例でも、平板部４４の、対向する平板部４５に向いた面に、緩衝材５３が設けられている。緩衝材５３は、必要に応じて設けることができ、必要がなければ設けなくてもよい。
【００５０】
図７を参照して、取付具４０の第４の構成例について説明する。図７に示す構成は、図４に示した構成に、さらに緩衝材５４を含むものである。緩衝材５４以外は、図４に示した構成と同様であるため、各部の詳細な説明については省略する。
【００５１】
図７に示した例では、垂下部４２ｂが顔面に近隣した位置に配置されるため、垂下部４２ｂの顔面に向いた面が顔面に隣接する可能性があり、その隣接する面に緩衝材５４が設けられる。緩衝材５４は、緩衝材５３と同様のものを用いることができ、シリコーンゴム等のゴム、綿、布、柔軟性の高い樹脂材料、ポリウレタン等の合成樹脂を発泡成形して作られるスポンジ、衝撃吸収ゲル（シリコンをベースとしたゲル状物質）等を用いることができる。緩衝材５４は、シート状のものとされ、垂下部４２ｂの顔面に向いた面に接着剤等を使用して貼着される。
【００５２】
緩衝材５４を設けることで、顔の皮膚に接する部分が緩衝材５４となるため、上記の撮像時のブレや音声の音飛び等を防止することができるとともに、皮膚の傷つきを防止することができる。なお、緩衝材５４は、図４に示した構成のみに限らず、図５や図６に示した構成に付加してもよい。
【００５３】
本発明の取付具を提供することで、図１に示したウェアラブルデバイスをヘルメットに装着したときの装着感が快適になり、現場作業員の装用抵抗感を緩和することができる。従来、ゴーグルにしか装着できなかったウェアラブルデバイスが、ヘルメットにも装着可能になり、ウェアラブルデバイスの普及を一層促進することができる。
【００５４】
また、ウェアブルデバイスを確実に固定することができるため、より身体動作の大きな現場作業に適用範囲を広げることができる。
【００５５】
これまで本発明の取付具について図面に示した実施形態を参照しながら詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。したがって、この取付具は、建設現場用ヘルメットに限られるものではなく、自転車用ヘルメット、自動二輪車用ヘルメット、防災用ヘルメット等にも適用することが可能である。
【符号の説明】
【００５６】
１０…機器
１１…本体部
１２…アーム部
１３…撮像部
１４…表示部
１５…ヘッドセット
２０…PC
３０…ヘルメット
３１…鍔
４０…取付具
４１…挟持部
４２…腕部
４２ａ…傾斜部
４２ｂ…垂下部
４２ｃ…水平部
４３…連結部
４４、４５…平板部
４６、４７…調整ネジ
４８、４９…ネジ
５０…開口
５１…係止部
５２…ネジ穴
５３、５４…緩衝部
【図１】
2019123951.tif 000003
【図２】
2019123951.tif 000004
【図３】
2019123951.tif 000005
【図４】
2019123951.tif 000006
【図５】
2019123951.tif 000007
【図６】
2019123951.tif 000008
【図７】
2019123951.tif 000009